(57)【特許請求の範囲】
【請求項１】
縦部材（９，５５）内に上下動自在に設けられた落とし棒（２３）と、前記縦部材（９，５５）の外周に上下動自在に套嵌され且つ前記落とし棒（２３）を上下方向に操作する筒状の操作体（２４）と、前記落とし棒（２３）を上昇位置に保持する保持手段（２５）とを備え、前記縦部材（９，５５）は前記操作体（２４）と前記保持手段（２５）とを連結する連結ピン（３９）を案内する案内溝（３８）を有し、前記操作体（２４）は前記落とし棒（２３）の上下動時に前記案内溝（３８）を覆う長さを有することを特徴とする門扉の落とし棒装置。
【請求項２】
前記操作体（２４）は耐摩耗性を有する摺動体（４０，４１）を介して前記縦部材（９，５５）に摺動自在であることを特徴とする請求項１に記載の門扉の落とし棒装置。
【請求項３】
前記縦部材（９，５５）及び前記操作体（２４）が円筒状であることを特徴とする請求項１又は２に記載の門扉の落とし棒装置。
【請求項４】
前記保持手段（２５）は、前記縦部材（９，５５）と前記落とし棒（２３）とのうち、その一方に設けられた係合ピン（２７）と、他方側に前記係合ピン（２７）に対して係脱方向に揺動自在に枢支された係合具（２９）と、該係合具（２９）を係合方向に付勢するバネ（３０）とを備え、前記係合具（２９）は係合部（３１）の上下両側に、前記落とし棒（２３）の上下動時に前記係合具（２９）を前記係合ピン（２７）に対して係脱方向に案内する案内部（３５，３６）を有することを特徴とする請求項１〜３に記載の門扉の落とし棒装置。
【請求項５】
前記落とし棒（２３）の上昇時に前記係合部（３１）が前記係合ピン（２７）に対して係合可能な姿勢に前記係合具（２９）を保持するストッパー（３２）を設けたことを特徴とする請求項４に記載の門扉の落とし棒装置。
【請求項６】
前記上昇位置の前記落とし棒（２３）の上方側で前記縦部材（９，５５）に前記係合ピン（２７）を設け、前記係合具（２９）の下部を前記落とし棒（２３）内に挿入して前記係合ピン（２７）と略平行な枢軸（２８）により枢着し、該枢軸（２８）よりも下側で前記落とし棒（２３）内に前記バネ（３０）を設けたことを特徴とする請求項４又は５に記載の門扉の落とし棒装置。
【発明の詳細な説明】
【技術分野】
【０００１】
本発明は、門扉の落とし棒装置に関するものである。
【背景技術】
【０００２】
伸縮門扉、折り畳み式門扉、観音開き式門扉等の各種門扉では、その扉体を開状態、閉状態等で地面側にロックするために、従来から落とし棒装置が広く採用されている。この落とし棒装置は、従来、扉体の縦部材内に落とし棒を上下動自在に設けると共に、落とし棒の上端側に摘まみ棒を設け、縦部材に落とし棒の上下方向の動き量に相当する長孔状の案内溝と、この案内溝の上端から横方向に凹入し落とし棒の上昇位置で摘まみ棒を係合する係合凹部とを逆Ｌ字状に形成し、摘まみ棒の先端の摘まみ部を把持して、落とし棒の上昇位置で摘まみ棒を係合凹部に対して係脱し、また案内溝に沿って落とし棒を上下方向に操作するようにしている（特許文献１）。
【特許文献１】特開平９−２１７５７３号公報
【発明の開示】
【発明が解決しようとする課題】
【０００３】
従来の落とし棒装置では、縦部材に形成された上下方向の案内溝と、この案内溝から外方に突出する摘まみ棒とが外部に露出しているため、その部分の見栄えが悪く扉体全体の意匠性を損なうと云う欠点がある。また摘まみ棒が縦部材から外方に突出しているため、その摘まみ棒に衣服その他の物を引っ掛けて損傷したり、知らない間に落とし棒が地面上に落下したりする等の問題もある。
【０００４】
本発明は、このような従来の問題点に鑑み、見栄えが良く扉体の意匠性を良好にできると共に、操作部に対する衣服その他の物の引っ掛かりを防止できる門扉の落とし棒装置を提供することを目的とする。
【課題を解決するための手段】
【０００５】
本発明は、縦部材９，５５内に上下動自在に設けられた落とし棒２３と、前記縦部材９，５５の外周に上下動自在に套嵌され且つ前記落とし棒２３を上下方向に操作する筒状の操作体２４と、前記落とし棒２３を上昇位置に保持する保持手段２５とを備え、前記縦部材９，５５は前記操作体２４と前記保持手段２５とを連結する連結ピン３９を案内する案内溝３８を有し、前記操作体２４は前記落とし棒２３の上下動時に前記案内溝３８を覆う長さを有するものである。
【０００６】
前記操作体２４は耐摩耗性を有する摺動体４０，４１を介して前記縦部材９，５５に摺動自在であることが望ましい。前記縦部材９，５５及び前記操作体２４が円筒状であることが望ましい。
【０００７】
前記保持手段２５は、前記縦部材９，５５と前記落とし棒２３とのうち、その一方に設けられた係合ピン２７と、他方側に前記係合ピン２７に対して係脱方向に揺動自在に枢支された係合具２９と、該係合具２９を係合方向に付勢するバネ３０とを備え、前記係合具２９は係合部３１の上下両側に、前記落とし棒２３の上下動時に前記係合具２９を前記係合ピン２７に対して係脱方向に案内する案内部３５，３６を有することもある。
【０００８】
前記落とし棒２３の上昇時に前記係合部３１が前記係合ピン２７に対して係合可能な姿勢に前記係合具２９を保持するストッパー３２を設けたものでもよい。前記上昇位置の前記落とし棒２３の上方側で前記縦部材９，５５に前記係合ピン２７を設け、前記係合具２９の下部を前記落とし棒２３内に挿入して前記係合ピン２７と略平行な枢軸２８により枢着し、該枢軸２８よりも下側で前記落とし棒２３内に前記バネ３０を設けたものでもよい。
【発明の効果】
【０００９】
本発明によれば、見栄えが良く扉体の意匠性を良好にできると共に、操作部に対する衣服その他の物の引っ掛かりを防止できる利点がある。
【発明を実施するための最良の形態】
【００１０】
以下、本発明の実施例を図面に基づいて詳述する。図１〜図９は水平パンタグラフ式の伸縮門扉に採用した本発明の第１の実施例を例示する。
【００１１】
この伸縮門扉は、図１（Ａ）〜（Ｃ）に示すように、出入口１の左右両側で地面２上に立設された吊り元支柱３及び戸当たり支柱４と、吊り元支柱３及び戸当たり支柱４間に左右方向に伸縮自在に配置され且つ出入口１を開閉する扉体５とを有する。戸当たり支柱４には、上下一対の連結部材６を介して施錠受け枠７が固定的に連結されている。
【００１２】
扉体５は左右方向に伸縮自在に構成された上下一対のパンタグラフ機構８と、この両パンタグラフ機構８を上下に連結する左右方向に複数本の連結桟９，１０とを備え、吊り元側が上下方向のヒンジ１１、連結部材１２を介して吊り元支柱３に回動自在に連結されており、図１（Ａ）（Ｂ）に二点鎖線で示す収縮状態（開状態）と、図１（Ａ）（Ｂ）に実線で示す伸長状態（閉状態）との間で伸縮自在であり、また収縮状態で後述のヒンジ１１廻りに回転収納可能である。
【００１３】
また扉体５は戸当たり側に把手１３等を有する施錠端枠１４が設けられ、その施錠端枠１４が施錠受け枠７に当接して施錠されるようになっている。更に扉体５には、左右方向の略中央部に中間落とし棒装置１５が、施錠端枠１４に端部落とし棒装置１６が夫々設けられている。なお、扉体５の略中央部、戸当たり端側には、地面２上を走行する走行車輪１７が設けられている。
【００１４】
パンタグラフ機構８は、図２（Ａ）（Ｂ）に示すように、Ｘ字状に交差して配置された左右方向に複数組の一対の中間リンク部材１８と、両端に八の字状に配置された一対の端部リンク部材１９とを有し、連結桟９，１０、連結軸２０を介して縦軸廻りに水平方向に屈伸しながら伸縮自在である。一対の中間リンク部材１８はその略中央の交差部で連結桟９により相対回動自在に連結され、また左右方向に隣り合う各組の中間リンク部材１８はその先端部で連結桟１０により相対回動自在に連結されている。
【００１５】
一対の端部リンク部材１９は、内端側が対応する端部側の中間リンク部材１８の先端部に連結桟１０により相対回動自在に連結され、また外端側が連結枠２１に前後に近接して配置された連結軸２０に相対回動自在に連結されている。上下のパンタグラフ機構８の両端は連結枠２１を介して上下に連結され、また戸当たり側の連結枠２１は施錠端枠１４に固定されている。
【００１６】
端部落とし棒装置１６は扉体５を収縮状態にしたとき、又は回転収納したときに施錠端枠１４の前後移動を規制するためのもので、施錠端枠１４内に上下動自在に内装された落とし棒２２を有し、その落とし棒２２が地面２側の落とし孔２３ａに対して係脱するようになっている。
【００１７】
中間落とし棒装置１５は扉体５を伸長状態にしたときにその中間部分の前後移動を規制するためのもので、図３〜図９にも示すように、一対の中間リンク部材１８の交差部の連結桟（縦部材）９内に上下動自在に挿入された落とし棒２３と、連結桟９の外周に上下動自在に套嵌され且つ落とし棒２３を上下方向に操作する操作体２４と、落とし棒２３を上昇位置（図３（Ａ）の位置）で係脱自在に保持する保持手段２５とを備え、落とし棒２３の下端部が地面２側の落とし孔２６に係脱するようになっている。
【００１８】
連結桟９，１０は上下のパンタグラフ機構８に跨がる長さの円筒体により構成され、その内周には周方向に略等間隔をおいて３個以上、例えば４個のリブ２７ａが上下方向の略全長に設けられている。落とし棒２３、操作体２４は円筒体により構成され、連結桟９の内外周に略同心状に設けられている。
【００１９】
落とし棒２３は連結桟９のリブ２７ａにより上下方向に摺動自在に支持案内され、下端部が地面２の落とし孔２６に係合する下降位置（図３（Ｂ）の位置）と、落とし孔２６から上方に外れた上昇位置との間で上下動自在である。なお、落とし棒２３は上昇位置でもその下端が連結桟９から若干下側に突出している。
【００２０】
保持手段２５は、上昇位置の落とし棒２３の上方近傍で連結桟９に略直径方向に貫通して固定された係合ピン２７と、上下方向の中間部が落とし棒２３内で係合ピン２７と略平行な枢軸２８により係合ピン２７に対して係脱方向に揺動自在に枢支された係合具２９と、この係合具２９を係合方向に付勢するバネ３０とを備えている。
【００２１】
係合具２９は縦長状であって、下側の略半分が落とし棒２３の上部側に挿入され、上下方向の略中央が枢軸２８により落とし棒２３に枢支されている。係合具２９にはその上端部に係合部３１が、中間にストッパー３２が、下端部にバネ支持部３３が夫々設けられている。なお、枢軸２８には係合具２９の両側にリング状のスペーサ３４が套嵌されている。
【００２２】
係合部３１の上下両側には、落とし棒２３の上下動時に係合ピン２７に案内されて係合具２９をバネ３０に抗して係脱方向に揺動させる案内部３５，３６が形成されており、上下両側の案内部３５，３６を含む係合部３１は略三角形又は台形状になっている。
【００２３】
ストッパー３２は係合部３１が係合ピン２７から離脱したときに落とし棒２３の上端に当接して、落とし棒２３の上昇時に案内部３５が係合ピン２７に接触して係合部３１が係合ピン２７に係合可能な姿勢に係合具２９を保持するためのものである。
【００２４】
バネ支持部３３は係合具２９にＬ字状に屈曲して形成され、このバネ支持部３３に落とし棒２３の内周と係合具２９との間に介在されたバネ３０が套嵌されている。
【００２５】
操作体２４は落とし棒２３の通孔３７、連結桟９の案内溝３８を略直径方向に貫通する連結ピン３９を介して落とし棒２３に連結されており、この操作体２４により落とし棒２３を上下方向に操作可能である。
【００２６】
連結ピン３９は上下方向の略中央又はその近傍で操作体２４に固定されており、操作体２４は上昇位置と下降位置との何れの場合にも、案内溝３８を覆い得る長さを連結ピン３９の上下両側に有する。案内溝３８は少なくとも落とし棒２３の上昇位置と下降位置との範囲にわたって上下方向に形成されている。
【００２７】
操作体２４の上下両端部には、その上下動時に連結桟９の表面の損傷を防止し、また操作時の怪我等を防止するように、その端面から内周側に跨がって耐摩耗性を有する合成樹脂製等の摺動筒４０，４１が嵌合されている。
【００２８】
係合ピン２７、枢軸２８、連結ピン３９はスプリングピン等により構成され、連結桟９、落とし棒２３、操作体２４の外側から両端に打ち込まれたブラインドリベット等のリベット４２〜４４により固定されている。また係合ピン２７、枢軸２８、連結ピン３９は前後方向に略平行に設けられている。連結ピン３９は係合ピン２７、枢軸２８と略平行である必要はない。
【００２９】
上記構成の伸縮門扉において、出入口１を閉じる場合には、扉体５を伸ばして施錠端枠１４を施錠受け枠７に当接し施錠する。そして、中間落とし棒装置１５の落とし棒２３を地面２側の落とし孔２６に落とし込んでロックする。
【００３０】
このとき中間落とし棒装置１５は、次のように操作する。落とし棒２３を上昇させた状態では、図３（Ａ）に示すように係合具２９の係合部３１が係合ピン２７に係合することにより、落とし棒２３は上昇位置に保持されている。
【００３１】
落とし棒２３を落とし孔２６に落とし込む場合には、操作体２４を把持して連結桟９に沿って下方へと押し下げる。すると係合部３１の下側の案内部３６が係合ピン２７に対して摺動し、図４に二点鎖線で示すように係合具２９がバネ３０に抗して枢軸２８廻りに離脱方向へと図４のａ矢示方向に回動するため、係合部３１が係合ピン２７から離脱して下方へと通過する。従って、そのまま操作体２４を下方へと操作して落とし棒２３の下端部を地面２側の落とし孔２６に落とし込めば良い。
【００３２】
係合ピン２７から離脱した係合具２９は、そのストッパー３２が落とし棒２３の上端に当接した状態にある。そこで、落とし棒２３を落とし孔２６から抜いてロックを解除する場合には、操作体２４を把持して連結桟９に沿って上昇させる。すると連結ピン３９が案内溝３８によって案内されるため、係合具２９を所定の姿勢に維持したままで操作体２４、落とし棒２３が一体に上昇し、落とし棒２３が落とし孔２６から抜ける。
【００３３】
操作体２４を上昇位置の近傍まで上昇させると、係合部３１の上側の案内部３５が係合ピン２７に対して摺動し、係合具２９がバネ３０に抗して枢軸２８廻りにａ矢示方向に回動する。そして、係合部３１が係合ピン２７を通過すると、係合具２９がバネ３０で戻ってその係合部３１が係合ピン２７に係合し、これによって落とし棒２３、操作体２４を上昇位置に保持することができる。
【００３４】
従って、操作体２４を連結桟９に沿って上下方向に直線的に操作することにより保持手段２５の係合ピン２７と係合具２９とを係脱操作することが可能であり、操作体２４により落とし棒２３を容易に操作することができる。また連結桟９に操作体２４を套嵌しているため、扉体５の前後方向の両側から同じ条件で操作体２４を操作することができる。
【００３５】
操作体２４は連結桟９の外周に套嵌された円筒体により構成し、しかも連結桟９の案内溝３８を覆う長さとしているため、従来の摘まみ棒等に比較して見栄えが良くなり扉体５の意匠性が一段と向上する。更に操作体２４が円筒体であるため、操作体２４に何等かのものを引っ掛ける等の惧れも防止できる。
【００３６】
保持手段２５は、落とし棒２３の上側で連結桟９に設けられた係合ピン２７と、下部が落とし棒２３内に挿入され且つ係合ピン２７と略平行な枢軸２８により落とし棒２３に係合ピン２７に対して係脱方向に揺動自在に枢支された係合具２９と、枢軸２８よりも下側で落とし棒２３内に設けられ且つ係合具２９を係合方向に付勢するバネ３０とを備え、しかも係合具２９は係合部３１の上下両側に、落とし棒２３の上下動時に係合具２９を係合ピン２７に対して係脱方向に案内する案内部３５，３６を有するため、連結桟９の内部に落とし棒２３と共に保持手段２５をコンパクトに組み込むことができる。
【００３７】
図１０、図１１は本発明の第２の実施例を例示する。この実施例では、係合ピン２７が落とし棒２３の上端部に設けられ、枢軸２８、係合具２９、バネ３０が連結桟９側に設けられている。係合具２９は上下逆向きであり、この係合具２９の下端側の係合部３１に対応して、落とし棒２３の上端部に切り欠き部４６が設けられている。また連結桟９には、係合具２９等に対応して組み込み用の開口４７が形成されている。なお、ストッパー３２は連結桟９の内周に当接するようになっている。
【００３８】
このように保持手段２５を構成する係合ピン２７、係合具２９等は、落とし棒２３と連結桟９との何れか反対側に設ければ良い。また連結桟９に組み込み用の開口４７を設けても、操作体２４で塞ぐことができるため、連結桟９の長手方向の中間部分に保持手段２５を配置する場合でも、その組み込みを容易に行うことができる。
【００３９】
図１２は本発明の第３の実施例を例示する。この保持手段２５は、連結桟９に固定ピン等で固定された永久磁石４９と、落とし棒２３の上端に設けられた磁性体５０とを備え、永久磁石４９が磁性体５０を吸着することにより落とし棒２３を上昇位置に保持するようになっている。永久磁石４９は合成樹脂等の非磁性材からなる被覆材５２内にモールドされ、その被覆材５２を介してピン５１により連結桟９内に固定されている。
【００４０】
このように保持手段２５には磁石式のものを使用することも可能である。なお、永久磁石４９を落とし棒２３に、磁性体５０を連結桟９に夫々設けても良い。
【００４１】
図１３、図１４は本発明の第４の実施例を例示する。この実施例では、上昇位置と下降位置との間で連結ピン３９を案内する案内溝３８が連結桟９に緩やかな略螺旋状に形成され、その案内溝３８の上端部側に、連結ピン３９が上昇位置で係合する係合凹部５３が設けられている。係合凹部５３と連結ピン３９とにより保持手段２５が構成されている。
【００４２】
この場合には、操作体２４を上昇方向に操作すると、連結ピン３９が連結桟９の案内溝３８に沿って案内されるため、操作体２４が上昇しながら連結桟９廻りに回転する。そして、連結ピン３９が案内溝３８の上端に達した後、操作体２４を若干下げると、連結ピン３９が係合凹部５３に係合して落とし棒２３を上昇位置で保持することができる。
【００４３】
このように操作体２４は連結桟９廻りに回転しながら上下動するようにしても良い。また上下方向に略真っ直ぐな案内溝３８の上端側に周方向に凹入する係合凹部５３を形成して、この係合凹部５３で連結ピン３９を保持するようにしても良い。
【００４４】
図１５は本発明の第５の実施例を例示する。この実施例では、上下方向の角筒材（縦部材）５５内に落とし棒２３が挿入され、その角筒材５５の外周に角筒状の操作体２４が上下動自在に套嵌されている。操作体２４は周方向の一部に上下方向のスリット５６を有し、角筒体とはなっていない。その他の構成は第１又は第２の実施例の中間落とし棒装置１５と略同様である。
【００４５】
このように操作体２４は、角筒材５５の外周に套嵌する場合には、その角筒材５５に合わせて角筒状に構成してもよい。つまり、操作体２４は周方向の全周が閉鎖された筒体に限定されるものではなく、周方向の一部にスリット５６その他の切欠きが形成されたものであっても、その全体形状が略筒状を呈する等、筒体に近い形状のものであれば十分である。
【００４６】
なお、操作体２４が周方向の一部にスリット５６その他の切欠きが形成された筒体に近い形状の場合、そのスリット５６等の切欠きは、操作体２４を手で把持したときに指先等から外れた位置に配置することが望ましい。
【００４７】
以上、本発明の実施例について詳述したが、この実施例に限定されるものではなく、本発明の趣旨を逸脱しない範囲で種々の変更が可能である。例えば、実施例では、水平リンク式の伸縮門扉の中間落とし棒装置１５を例示しているが、そのこれ以外の落とし棒装置でも同様に採用可能であるし、水平リンク式以外の伸縮門扉は勿論のこと、伸縮門扉以外の各種の門扉の落とし棒装置にも採用可能である。
【００４８】
縦部材として連結桟９、角筒材５５を例示し、操作体２４として、その連結桟９、角筒材５５に対応する形状の円筒状、角筒状のものを例示している。しかし、縦部材は落とし棒２３を上下動自在に挿入できる形状であれば十分であり、それが門扉のどの位置に設けられるものであっても良い。また操作体２４は縦部材の外周に上下動自在に套嵌されるものであれば、縦部材と略相似形の断面形状を有するものの他、縦部材と異なる断面形状を有するものでも良い。更に操作体２４は筒体以外のもの、例えば筒状のものでも良い。
【００４９】
保持手段２５は係合ピン２７、係合具２９等を備えた直線係合式、永久磁石４９を備えた磁石式、操作体２４を回転させて連結ピン３９を係合凹部５３に係合させる回転係合式の他、落とし棒２３を上昇位置に保持できるものであれば何であっても良い。
【図面の簡単な説明】
【００５０】
【図１】本発明の第１実施例を示し、（Ａ）は伸縮門扉の平面図、（Ｂ）はその正面図、（Ｃ）はその側面図である。
【図２】（Ａ）は同扉体の要部の拡大平面図、（Ｂ）はその正面図である。
【図３】（Ａ）は同落とし棒の上昇状態の断面図、（Ｂ）は同落とし棒の下降状態の断面図である。
【図４】同保持手段の拡大断面図である。
【図５】同保持手段の側面断面図である。
【図６】図４のｂ−ｂ線断面図である。
【図７】図４のｃ−ｃ線断面図である。
【図８】図４のｄ−ｄ線断面図である。
【図９】図４のｅ−ｅ線断面図である。
【図１０】本発明の第２実施例を示す保持手段の断面図である。
【図１１】同平面断面図である。
【図１２】本発明の第３実施例を示す保持手段の断面図である。
【図１３】本発明の第４実施例を示す保持手段の断面図である。
【図１４】同平面断面図である。
【図１５】本発明の第５実施例を示す保持手段の平面断面図である。
【符号の説明】
【００５１】
９    連結桟（縦部材）
２３  落とし棒
２４  操作体
２５  保持手段
２７  係合ピン
２８  枢軸
２９  係合具
３０  バネ
３１  係合部
３５，３６  案内部
３８  案内溝
３９  連結ピン
５５  角筒材（縦部材）
【図１】
0005116436.tif 000002
【図２】
0005116436.tif 000003
【図３】
0005116436.tif 000004
【図４】
0005116436.tif 000005
【図５】
0005116436.tif 000006
【図６】
0005116436.tif 000007
【図７】
0005116436.tif 000008
【図８】
0005116436.tif 000009
【図９】
0005116436.tif 000010
【図１０】
0005116436.tif 000011
【図１１】
0005116436.tif 000012
【図１２】
0005116436.tif 000013
【図１３】
0005116436.tif 000014
【図１４】
0005116436.tif 000015
【図１５】
0005116436.tif 000016